(57)【要約】【課題】端子に対する手指の接触を適切に抑制することができるコネクタを提供する。【解決手段】コネクタ１は、相手側のコネクタと嵌合する開口２３を有するハウジング２と、第一側面４１を開口に向けた姿勢でハウジングに収容され、かつ保持されている板状の端子４と、端子に装着され、第一側面を覆う絶縁性のカバー部材６と、相手側のコネクタの端子である相手端子が挿入される貫通孔７０ａ，７０ｂを有し、かつ開口の側からハウジングに対して取り付けられ、カバー部材を係止するホルダ７と、を備える。【選択図】図３
2020129461.tif 000002
【特許請求の範囲】
【請求項１】
相手側のコネクタと嵌合する開口を有するハウジングと、
第一側面を前記開口に向けた姿勢で前記ハウジングに収容され、かつ保持されている板状の端子と、
前記端子に装着され、前記第一側面を覆う絶縁性のカバー部材と、
前記相手側のコネクタの端子である相手端子が挿入される貫通孔を有し、かつ前記開口の側から前記ハウジングに対して取り付けられ、前記カバー部材を係止するホルダと、
を備えることを特徴とするコネクタ。
【請求項２】
前記ホルダは、前記カバー部材を保持する保持部を有する
請求項１に記載のコネクタ。
【請求項３】
前記ホルダは、前記第一側面と対向しており、前記カバー部材を係止する第一係止面を有する
請求項１または２に記載のコネクタ。
【請求項４】
前記ホルダは、前記端子の長手方向において前記カバー部材を係止する第二係止面を有する
請求項１から３の何れか１項に記載のコネクタ。
【発明の詳細な説明】
【技術分野】
【０００１】
本発明は、コネクタに関する。
【背景技術】
【０００２】
従来、接触防止機構を備えたコネクタがある。特許文献１には、電源端子と、該電源端子を支持するハウジングを有する電源コネクタの技術が開示されている。特許文献１の電源コネクタにおいて、ハウジングは、仕切り部材によって仕切られた、導電部材が挿通される少なくとも２つの相隣り合う挿通口と、挿通口と連通した収容空間と、を有し、電源端子は、収容空間に設置され、少なくとも２つの相隣り合う挿通口を通じて挿入される導電部材と接触し得る接触部を有し、接触部が、少なくとも２つの相隣り合う挿通口を跨いで配置されている。特許文献１の電源コネクタによれば、端子が大きい場合であっても手指等が端子に触れる危険が少なく、また、開口端毎に絶縁部材を設ける必要がないとされている。
【先行技術文献】
【特許文献】
【０００３】
【特許文献１】特開２０１７−１９９４９７号公報
【発明の概要】
【発明が解決しようとする課題】
【０００４】
端子に対する手指の接触を抑制することについて、なお改良の余地が残されている。例えば、手指の接触を抑制するために、端子を覆うカバー部材を端子に装着することが考えられる。ここで、カバー部材の位置がずれてしまうと、接触を抑制する機能が低下してしまうことになる。
【０００５】
本発明の目的は、端子に対する手指の接触を適切に抑制することができるコネクタを提供することである。
【課題を解決するための手段】
【０００６】
本発明のコネクタは、相手側のコネクタと嵌合する開口を有するハウジングと、第一側面を前記開口に向けた姿勢で前記ハウジングに収容され、かつ保持されている板状の端子と、前記端子に装着され、前記第一側面を覆う絶縁性のカバー部材と、前記相手側のコネクタの端子である相手端子が挿入される貫通孔を有し、かつ前記開口の側から前記ハウジングに対して取り付けられ、前記カバー部材を係止するホルダと、を備えることを特徴とする。
【発明の効果】
【０００７】
本発明に係るコネクタは、相手側のコネクタと嵌合する開口を有するハウジングと、第一側面を開口に向けた姿勢でハウジングに収容され、かつ保持されている板状の端子と、端子に装着され、第一側面を覆う絶縁性のカバー部材と、相手側のコネクタの端子である相手端子が挿入される貫通孔を有し、かつ開口の側からハウジングに対して取り付けられ、カバー部材を係止するホルダと、を備える。本発明に係るコネクタによれば、カバー部材がホルダによって係止される。よって、本発明に係るコネクタは、端子に対するカバー部材の位置ずれを規制し、端子に対する手指の接触を適切に抑制することができるという効果を奏する。
【図面の簡単な説明】
【０００８】
【図１】図１は、実施形態に係るコネクタの斜視図である。
【図２】図２は、実施形態に係るコネクタの正面図である。
【図３】図３は、実施形態に係るコネクタの分解斜視図である。
【図４】図４は、実施形態に係るカバー部材の斜視図である。
【図５】図５は、実施形態に係るオス端子の斜視図である。
【図６】図６は、実施形態におけるカバー部材の組み付けを説明する斜視図である。
【図７】図７は、実施形態のカバー部材、オス端子、および絶縁部材の斜視図である。
【図８】図８は、実施形態に係るコネクタの断面図である。
【図９】図９は、実施形態の第１変形例に係るオス端子およびカバー部材の斜視図である。
【図１０】図１０は、実施形態の第１変形例に係るカバー部材の斜視図である。
【発明を実施するための形態】
【０００９】
以下に、本発明の実施形態に係るコネクタにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１０】
［実施形態］
図１から図８を参照して、実施形態について説明する。本実施形態は、コネクタに関する。図１は、実施形態に係るコネクタの斜視図、図２は、実施形態に係るコネクタの正面図、図３は、実施形態に係るコネクタの分解斜視図、図４は、実施形態に係るカバー部材の斜視図、図５は、実施形態に係るオス端子の斜視図、図６は、実施形態におけるカバー部材の組み付けを説明する斜視図、図７は、実施形態のカバー部材、オス端子、および絶縁部材の斜視図、図８は、実施形態に係るコネクタの断面図である。図８には、図２のVIII−VIII断面が示されている。
【００１１】
図１に示すように、実施形態に係るコネクタ１は、アウターハウジング２、インナーハウジング３、オス端子４、絶縁部材５、カバー部材６、およびホルダ７を有する。アウターハウジング２は、本体２０、嵌合部２１、および筒状部２２を有する。本体２０、嵌合部２１、および筒状部２２は、例えば、導電性を有する金属によって一体に形成されている。アウターハウジング２は、電磁的なノイズを遮蔽するシールド部材として機能する。本体２０の形状は、有底の筒状である。本体２０は、インナーハウジング３やオス端子４を収容する収容空間を有する。
【００１２】
嵌合部２１は、相手側のコネクタと嵌合する部分である。本実施形態の嵌合部２１の形状は、筒状である。嵌合部２１の断面形状は、略矩形である。より具体的には、嵌合部２１の断面形状は、矩形の各辺を外側に向けて湾曲させ、かつ四隅を円弧状に湾曲させた形状である。以下の説明では、嵌合部２１の軸方向を「第一方向Ｘ」と称する。また、後述するオス端子４の配列方向を「第二方向Ｙ」と称する。第二方向Ｙは、第一方向Ｘと直交している。第一方向Ｘおよび第二方向Ｙの何れとも直交する方向を「第三方向Ｚ」と称する。第三方向Ｚは、アウターハウジング２に対するオス端子４の挿入方向である。なお、コネクタ１の各部材の説明において、第一方向Ｘ、第二方向Ｙ、および第三方向Ｚは、各部材が組み付けられてコネクタ１を構成している状態における方向である。
【００１３】
嵌合部２１は、アウターハウジング２の外部空間に向けて開放した開口２３を有する。開口２３は、嵌合部２１における第一方向Ｘの一端に位置している。開口２３における第一方向Ｘの他端は、本体２０とつながっている。嵌合部２１は、第一方向Ｘに沿って相手側のコネクタと嵌合する。
【００１４】
本実施形態のアウターハウジング２は、二つの筒状部２２を有する。筒状部２２は、第三方向Ｚに沿って本体２０から突出している。すなわち、嵌合部２１の軸方向と、筒状部２２の軸方向とは互いに直交している。二つの筒状部２２は、第二方向Ｙに沿って並んでいる。オス端子４は、筒状部２２の先端の開口２２ａ（図２参照）から挿入される。オス端子４には、電線Ｗが接続されている。電線Ｗは、芯線と、芯線を覆う被覆とを有する被覆電線である。オス端子４は、電線Ｗの芯線と電気的に接続されている。
【００１５】
絶縁部材５は、オス端子４と電線Ｗとの電気的な接続部を覆うパイプ状の部材である。絶縁部材５は、例えば、絶縁性の合成樹脂によって成型されている。絶縁部材５は、アウターハウジング２の内壁面に対して、オス端子４と電線Ｗとの電気的な接続部を遮蔽する。絶縁部材５の先端部は、筒状部２２からアウターハウジング２の本体２０の内部空間に突出している。
【００１６】
カバー部材６は、絶縁性を有する部材であり、例えば、合成樹脂によって成型される。図４に示すように、カバー部材６は、本体６０、第一係合部６１、および第二係合部６２を有する。本体６０、第一係合部６１、および第二係合部６２は一体である。本体６０は、第三方向Ｚに沿って延在する板状の構成部である。本体６０は、第三方向Ｚの中央部に突出部６０ａを有する。突出部６０ａは、第一方向Ｘに沿って突出している。
【００１７】
第一係合部６１は、本体６０の一端につながっている。第二係合部６２は、本体６０の他端につながっている。第一係合部６１および第二係合部６２は、第一方向Ｘに沿って、突出部６０ａとは逆向きに突出している。第一係合部６１は、基部６１ａ、第一アーム６３、および第二アーム６４を有する。基部６１ａは、本体６０から第一方向Ｘおよび第二方向Ｙに向けて突出している。第一アーム６３および第二アーム６４は、基部６１ａから第一方向Ｘに沿って突出している。第一アーム６３および第二アーム６４は、第二方向Ｙにおいて互いに対向している。第二方向Ｙにおける第一アーム６３と第二アーム６４との隙間の大きさは、オス端子４の板厚に応じた大きさである。第一アーム６３の先端には、第二アーム６４に向けて突出する係止突起６３ａが設けられている。第二アーム６４の先端には、第一アーム６３に向けて突出する係止突起６４ａが設けられている。
【００１８】
第二係合部６２は、第一アーム６５および第二アーム６６を有する。第一アーム６５および第二アーム６６は、第二方向Ｙにおいて互いに対向している。第二方向Ｙにおける第一アーム６５と第二アーム６６との隙間の大きさは、絶縁部材５の係合部５１（図６参照）の厚さに応じた大きさである。第一アーム６５は、係合凹部６５ａを有する。係合凹部６５ａは、第一アーム６５における第二アーム６６と対向する面に設けられている。第二アーム６６は、係合凹部６５ａに対応する係合凹部６６ａを有する。係合凹部６６ａは、第二アーム６６における第一アーム６５と対向する面に設けられている。係合凹部６５ａ，６６ａは、第三方向Ｚに沿って延在する溝である。
【００１９】
図５に示すように、オス端子４の形状は、板状である。より詳しく説明すると、オス端子４は、平面形状が略矩形の板状の部材である。オス端子４は導電性を有する金属によって形成されている。オス端子４は、第三方向Ｚが長手方向であり、かつ第一方向Ｘが幅方向となる姿勢でアウターハウジング２収容される。より詳しくは、オス端子４は、第一側面４１を相手側コネクタに向けるようにアウターハウジング２に挿入される。オス端子４は、ホルダ７等によって保持される。オス端子４は、本体４０および基部４４を有する。基部４４は、オス端子４における第三方向Ｚの端部である。本体４０および基部４４は、一体である。
【００２０】
本体４０は、相手側の端子と電気的に接続される部分である。基部４４は、電線Ｗの芯線に対して電気的に接続される部分である。基部４４の幅は、本体４０の幅よりも大きい。基部４４において、本体４０との境界には、段差面４４ａが設けられている。本体４０の先端部には、二つの切り欠き部４２，４３が設けられている。切り欠き部４２，４３は、本体４０における幅方向の縁部に一つずつ設けられている。二つの切り欠き部４２，４３は第三方向Ｚの同じ位置に配置されている。
【００２１】
図６および図７を参照して、オス端子４および絶縁部材５に対するカバー部材６の取り付けについて説明する。なお、理解しやすいように、図６では、オス端子４、絶縁部材５、およびカバー部材６を除く部材の図示が省略されている。図６に示すように、絶縁部材５は、本体５０および係合部５１を有する。本体５０および係合部５１は、一体に形成されている。本体５０および係合部５１の形状は、筒状である。本体５０は、オス端子４と電線Ｗとの電気的な接続部を覆う部分である。
【００２２】
係合部５１は、本体５０の一端につながっている。係合部５１の断面形状は、オス端子４の本体４０の断面形状と対応した形状である。すなわち、係合部５１の断面形状は、略矩形である。係合部５１の先端は、二つの長辺部５１ａ，５１ｂを有する。長辺部５１ａ，５１ｂは、第一方向Ｘに沿って延在している。係合部５１は、本体４０との間にわずかな隙間をあけて本体４０を囲んでいる。第二方向Ｙにおける係合部５１の幅は、第二方向Ｙにおける本体５０の幅よりも狭い。本体５０において、係合部５１との境界には段差面５０ａが形成されている。
【００２３】
係合部５１は、係合突起５２および被係止部５３を有する。被係止部５３は、係合部５１における先端の縁部に設けられている。本実施形態の係合部５１では、二つの長辺部５１ａ，５１ｂにそれぞれ被係止部５３が設けられている。被係止部５３は、第二方向Ｙに沿って突出しており、かつ第一方向Ｘに沿って延在している。第三方向Ｚから見た場合の被係止部５３の形状は、矩形である。係合突起５２は、係合部５１の二つの側面５１ｃ，５１ｄに一つずつ設けられている。係合突起５２は、側面５１ｃ，５１ｄに形成されたリブであり、第二方向Ｙに向けて突出しており、かつ第三方向Ｚに沿って延在している。本実施形態の係合突起５２は、段差面５０ａから被係止部５３まで延在している。
【００２４】
カバー部材６は、例えば、オス端子４がアウターハウジング２に挿入された後にオス端子４に対して装着される。ただし、カバー部材６は、オス端子４がアウターハウジング２に挿入される前にオス端子４に装着されてもよい。本実施形態のカバー部材６は、図６に示すように、第一方向Ｘに沿って相対移動しながらオス端子４および絶縁部材５に取り付けられる。オス端子４は、第一係合部６１の第一アーム６３と第二アーム６４との間に入り込む。絶縁部材５の係合部５１は、第二係合部６２の第一アーム６５と第二アーム６６との間に入り込む。
【００２５】
カバー部材６は、係止突起６３ａ，６４ａが切り欠き部４３に係合し、かつ係合突起５２が係合凹部６５ａ，６６ａと係合する位置まで押し込まれる。係止突起６３ａ，６４ａは、切り欠き部４３の壁面によって係止され、カバー部材６がオス端子４から外れることを規制する。第一係合部６１の基部６１ａは、オス端子４の切り欠き部４２に入り込む。切り欠き部４２は、基部６１ａを係止し、カバー部材６とオス端子４とが第三方向Ｚに沿って相対移動することを規制する。
【００２６】
カバー部材６の第一アーム６５および第二アーム６６は、被係止部５３と段差面５０ａとの間に入り込む。絶縁部材５の係合突起５２は、カバー部材６の係合凹部６５ａ，６６ａと係合し、カバー部材６が絶縁部材５から外れてしまうことを規制する。図７に示すように、第一アーム６５および第二アーム６６は、被係止部５３の近傍に位置し、かつ第三方向Ｚにおいて被係止部５３と対向する。後述するように、第一アーム６５および第二アーム６６は、絶縁部材５の抜け止めとして機能することができる。
【００２７】
オス端子４に装着されたカバー部材６は、オス端子４の第一側面４１を覆う。図８に示すように、第一側面４１は、オス端子４が有する二つの側面のうち、アウターハウジング２の開口２３を向く側面である。言い換えると、第一側面４１は、コネクタ１が相手側コネクタと接続される際に、相手側コネクタを向く側面である。つまり、カバー部材６は、オス端子４における外部空間を向いている第一側面４１を覆う。よって、カバー部材６は、手指がオス端子４に触れてしまうことを抑制することができる。図１等に示すように、カバー部材６は、第一側面４１において、外部空間に向いている部分を全体的に覆っている。
【００２８】
インナーハウジング３は、図３等に示すように、有底の筒状の部材である。インナーハウジング３は、外壁部３０および底壁部３１を有する。外壁部３０の形状は、角筒形状である。底壁部３１は、外壁部３０の一端を閉塞している。インナーハウジング３は、底壁部３１をアウターハウジング２の奥部に向けてアウターハウジング２に収容される。外壁部３０は、オス端子４および絶縁部材５が挿入される開口３０ａを有する。オス端子４の本体４０は、開口３０ａからインナーハウジング３の内部に挿入される。
【００２９】
ホルダ７は、図１から図３等に示すように、ブロック状の部材である。ホルダ７は、例えば、絶縁性を有する合成樹脂によって成型される。ホルダ７は、外壁部７０と、中間壁部７５と、を有する。外壁部７０および中間壁部７５は、一体である。外壁部７０は、角筒形状に形成されており、第一側壁７１、第二側壁７２、第三側壁７３、および第四側壁７４を有する。第一側壁７１および第二側壁７２は、第三方向Ｚにおいて互いに対向している。第三側壁７３および第四側壁７４は、第二方向Ｙにおいて互いに対向している。
【００３０】
中間壁部７５は、第三方向Ｚに沿って延在しており、第一側壁７１と第二側壁７２とをつないでいる。相手側コネクタのメス端子は、貫通孔７０ａ，７０ｂに挿入されてオス端子４と接続される。貫通孔７０ａは、中間壁部７５と第三側壁７３との間を第一方向Ｘに沿って貫通している貫通孔である。貫通孔７０ｂは、中間壁部７５と第四側壁７４との間を第一方向Ｘに沿って貫通している貫通孔である。中間壁部７５は、筒状部７５ａを有する。締結部材１１は、筒状部７５ａに挿入され、アウターハウジング２のネジ穴に螺合される。締結部材１１は、ホルダ７をアウターハウジング２に対して固定する。ホルダ７は、インナーハウジング３をアウターハウジング２に対して押圧し、インナーハウジング３を固定する。
【００３１】
第一側壁７１は、二つの第一保持部７６を有する。第一保持部７６は、オス端子４との間にカバー部材６を保持する部分である。第二側壁７２は、二つの第二保持部７７を有する。第二保持部７７は、オス端子４および絶縁部材５との間にカバー部材６を保持する部分である。
【００３２】
図１に示すように、カバー部材６の突出部６０ａは、ホルダ７の貫通孔７０ａ，７０ｂを仕切る仕切り壁となっている。例えば、一方のカバー部材６は、貫通孔７０ａを実質的に二分している。つまり、カバー部材６は、貫通孔７０ａを幅が狭い二つの異なる貫通孔に仕切っている。従って、カバー部材６は、貫通孔７０ａ，７０ｂに指等が入り込んでしまうことを効果的に抑制する。また、カバー部材６の本体６０は、開口２３に向けて突出した突出部６０ａを有している。よって、カバー部材６は、貫通孔７０ａ，７０ｂの奥部へと手指が入り込んでしまうことを抑制できる。
【００３３】
図８に示すように、第一保持部７６は、第一係止面７６ａおよび第二係止面７６ｂを有する。第一係止面７６ａは、第一方向Ｘにおいてカバー部材６を係止する面である。第一係止面７６ａは、第一方向Ｘにおいてオス端子４の第一側面４１と対向している。第一係止面７６ａは、オス端子４の第一側面４１との間にカバー部材６を挟み込み、第一方向Ｘにおいてカバー部材６を保持する。
【００３４】
第二係止面７６ｂは、第三方向Ｚにおいてカバー部材６を係止する面である。第二係止面７６ｂは、第三方向Ｚにおいて第二側壁７２の側を向く面である。言い換えると、第二係止面７６ｂは、第一側壁７１において、ホルダ７の内部空間を向く面である。第二係止面７６ｂは、カバー部材６の基部６１ａを係止し、第三方向Ｚに沿ったカバー部材６の移動を規制する。本実施形態の第一保持部７６は、挿入部７６ｃを有する。挿入部７６ｃは、オス端子４の切り欠き部４２に挿入される。挿入部７６ｃは、第三方向Ｚにおいてカバー部材６を位置決めし、オス端子４に対するカバー部材６の位置ずれを規制する。
【００３５】
第二保持部７７は、第一係止面７７ａを有する。第一係止面７７ａは、第一方向Ｘにおいてカバー部材６を係止する面である。第一係止面７７ａは、第一方向Ｘにおいてオス端子４の第一側面４１と対向している。また、第一側面４１において、第一係止面７７ａと対向する部分は、絶縁部材５によって覆われている。従って、第一係止面７７ａは、絶縁部材５を間に挟んで第一側面４１と対向している。第一係止面７７ａは、絶縁部材５との間にカバー部材６を挟み込み、第一方向Ｘにおいてカバー部材６を保持する。
【００３６】
インナーハウジング３の外壁部３０は、係止面３３を有する。係止面３３は、第三方向Ｚにおいてカバー部材６を係止する面である。係止面３３は、ホルダ７の第二係止面７６ｂと第三方向Ｚにおいて対向している。言い換えると、係止面３３は、外壁部３０において、インナーハウジング３の内部空間を向く面である。係止面３３は、カバー部材６が抜け方向Ｚ１へ移動することを規制する。抜け方向Ｚ１は、オス端子４および絶縁部材５が第三方向Ｚに沿ってアウターハウジング２から抜け出る方向である。第三方向Ｚにおいて、抜け方向Ｚ１とは逆向きの方向を「挿入方向Ｚ２」と称する。挿入方向Ｚ２に向かうカバー部材６の移動は、ホルダ７の第二係止面７６ｂによって規制される。
【００３７】
このように、本実施形態のカバー部材６は、抜け方向Ｚ１および挿入方向Ｚ２の両方向において移動が規制されている。カバー部材６は、以下に説明する様に、絶縁部材５の抜けを規制することができる。図７に示すように、カバー部材６の第二係合部６２は、絶縁部材５の被係止部５３と第三方向Ｚにおいて対向している。絶縁部材５が抜け方向Ｚ１に移動しようとすると、第二係合部６２が被係止部５３を係止して、絶縁部材５の移動を規制する。従って、本実施形態のコネクタ１によれば、絶縁部材５およびオス端子４の抜けやガタが好適に抑制される。また、図８に示すように、ホルダ７の挿入部７６ｃは、オス端子４の切り欠き部４２に挿入されている。挿入部７６ｃは、オス端子４が抜け方向Ｚ１に移動しようとすると、切り欠き部４２を係止してオス端子４の移動を規制する。このように、本実施形態のコネクタ１は、二重の抜け防止構造を有している。
【００３８】
以上説明したように、本実施形態のコネクタ１は、アウターハウジング２と、オス端子４と、カバー部材６と、ホルダ７と、を有する。アウターハウジング２は、相手側のコネクタと嵌合する開口２３を有する収容部材である。オス端子４は、第一側面４１を開口２３に向けた姿勢でアウターハウジング２に収容され、かつ保持されている。オス端子４は、絶縁部材５、インナーハウジング３、カバー部材６、締結部材１１等によって保持されている板状の端子である。
【００３９】
カバー部材６は、オス端子４に装着され、かつ第一側面４１を覆う絶縁性の部材である。ホルダ７は、メス端子が挿入される貫通孔７０ａ，７０ｂを有する部材である。ホルダ７は、開口２３の側からアウターハウジング２に対して取り付けられ、カバー部材６を係止する。本実施形態のコネクタ１によれば、カバー部材６がホルダ７によって係止される。よって、カバー部材６の位置ずれや脱落が抑制され、オス端子４に対する手指の接触防止がより確実となる。また、異なる形状のオス端子４に対して、共通のホルダ７を用いることが可能となる。異なる形状のオス端子４に対して、対応する形状のカバー部材６が用いられる。異なるカバー部材６において、ホルダ７によって係止される部分の形状を共通化すれば、ホルダ７が共通化される。
【００４０】
また、本実施形態のコネクタ１では、専用のカバー部材６によってオス端子４の第一側面４１が覆われる。よって、取り付け位置のズレ等による第一側面４１の露出が発生しにくい。比較例として、カバー部材６に相当する部分をホルダ７に設ける構成が考えられる。比較例の場合、ホルダ７およびオス端子４が別々にアウターハウジング２に対して取り付けられる。その結果、第一側面４１と、第一側面４１を覆う部分との位置合わせにおいてバラツキが生じやすい。これに対して、本実施形態のカバー部材６は、オス端子４に対して装着されるため、位置合わせの精度が確保しやすい。また、本実施形態のコネクタ１では、比較例に対してホルダ７の構成が簡素化される。
【００４１】
本実施形態のコネクタ１において、ホルダ７は、カバー部材６を保持する第一保持部７６および第二保持部７７を有する。第一保持部７６および第二保持部７７によってカバー部材６が保持されることで、カバー部材６の位置ずれや脱落がより確実に抑制される。
【００４２】
本実施形態のホルダ７は、オス端子４の第一側面４１と対向しており、カバー部材６を係止する第一係止面７６ａおよび第一係止面７７ａを有する。第一係止面７６ａおよび第一係止面７７ａは、カバー部材６が第一側面４１から脱落することを好適に抑制することができる。
【００４３】
本実施形態のホルダ７は、オス端子４の長手方向においてカバー部材６を係止する第二係止面７６ｂを有する。第二係止面７６ｂは、オス端子４の長手方向におけるカバー部材６の位置ずれを規制し、第一側面４１の露出を抑制することができる。
【００４４】
［実施形態の第１変形例］
実施形態の第１変形例について説明する。図９は、実施形態の第１変形例に係るオス端子およびカバー部材の斜視図、図１０は、実施形態の第１変形例に係るカバー部材の斜視図である。実施形態の第１変形例において、上記実施形態と異なる点は、例えば、オス端子４がカバー部材８に挿入される点である。
【００４５】
図９および図１０に示すように、実施形態の第１変形例に係るカバー部材８は、全体として矩形の枠状に形成されている。カバー部材８は、第一柱状部８１、第二柱状部８２、第三柱状部８３、および第四柱状部８４を有する。第一柱状部８１、第二柱状部８２、第三柱状部８３、および第四柱状部８４は、絶縁性の合成樹脂等によって一体に成型されている。第一柱状部８１と第二柱状部８２とは第一方向Ｘにおいて互いに対向している。第三柱状部８３と第四柱状部８４とは第三方向Ｚにおいて互いに対向している。
【００４６】
第一柱状部８１は、幅広部８１ａおよび幅狭部８１ｂを有する。第二方向Ｙにおける幅狭部８１ｂの幅は、オス端子４の板厚に対応している。第二方向Ｙにおいて、幅広部８１ａの幅は、幅狭部８１ｂの幅よりも広い。第二柱状部８２は、第一柱状部８１と同様に形成されており、幅広部８２ａおよび幅狭部８２ｂを有する。幅狭部８１ｂ，８２ｂは、メス端子が通過する部分に設けられている。
【００４７】
第三柱状部８３は、第一方向Ｘに沿って延在しており、第一柱状部８１の幅広部８１ａと第二柱状部８２の幅広部８２ａとをつないでいる。第四柱状部８４は、第一方向Ｘに沿って延在しており、第一柱状部８１の幅狭部８１ｂと第二柱状部８２の幅狭部８２ｂとをつないでいる。第四柱状部８４は、一対の柱部８５，８６を有する。一対の柱部８５，８６は、第二方向Ｙにおいて隙間をあけて配置されている。言い換えると、第四柱状部８４は、第一方向Ｘに沿って延在するスリット状の貫通孔を有する。第四柱状部８４は、一対の柱部８５，８６の間にオス端子４を挿入可能なように形成されている。
【００４８】
オス端子４に対してカバー部材８が装着される際には、オス端子４が先端から一対の柱部８５，８６の間に挿入される。図９に示すように、第一柱状部８１は、オス端子４の第一側面４１を覆う。第二柱状部８２は、オス端子４の第二側面４５を覆う。第三柱状部８３は、オス端子４の先端の側面を覆う。このように、第１変形例のカバー部材８は、オス端子４を三方から覆うことができる。従って、本変形例のカバー部材８は、オス端子４が第一側面４１を開口２３に向けて収容されるコネクタ１だけでなく、オス端子４が第二側面４５や先端の側面を開口２３に向けて収容されるコネクタ１にも適用可能である。
【００４９】
なお、カバー部材８は、オス端子４の切り欠き部４２，４３と係合する係合突起を有していてもよい。オス端子４は、例えば、カバー部材８が装着された後にアウターハウジング２に挿入される。なお、図９および図１０では絶縁部材５の図示が省略されている。カバー部材８は、例えば、オス端子４に対して絶縁部材５が取り付けられた後にオス端子４に装着される。
【００５０】
実施形態の第１変形例に係るカバー部材８は、端子４から容易に脱落しない。よって、第１変形例のカバー部材８は、オス端子４に対する手指の接触をより確実に抑制することができる。
【００５１】
［実施形態の第２変形例］
カバー部材６，８やホルダ７の形状は、上記実施形態や第１変形例で例示した形状には限定されない。例えば、上記実施形態のカバー部材６は、第一係合部６１および第二係合部６２の両方がオス端子４と係合してもよい。上記実施形態のホルダ７は、第三方向Ｚの両側からカバー部材６を係止してもよい。この場合、ホルダ７の第二保持部７７（図８参照）は、インナーハウジング３の係止面３３に代わってカバー部材６を係止する第二係止面を有する。第二保持部７７の第二係止面は、インナーハウジング３の係止面３３と同様にカバー部材６を係止する。
【００５２】
コネクタ１が有するオス端子４の数は、二つには限定されない。コネクタ１が有するオス端子４の数は、一つであっても、三つ以上であってもよい。コネクタ１が有する端子は、オス端子４には限定されず、メス端子であってもよい。カバー部材６，８は、メス端子に装着されてもよい。コネクタ１は、所謂シールドコネクタでなくてもよい。言い換えると、カバー部材６，８は、シールドコネクタ以外のコネクタの端子にも適用可能である。ホルダ７の材質とカバー部材６，８の材質とが異なっていてもよい。例えば、カバー部材６，８は、ホルダ７と比較して耐熱温度が高温の材料で形成されてもよい。
【００５３】
上記の実施形態および変形例に開示された内容は、適宜組み合わせて実行することができる。
【符号の説明】
【００５４】
１  コネクタ
２  アウターハウジング
３  インナーハウジング
４  オス端子
５  絶縁部材
６，８  カバー部材
７  ホルダ
１１  締結部材
２０  本体
２１  嵌合部
２２  筒状部
２３  開口
３０  外壁部
３１  底壁部
３３  係止面
４０  本体
４１  第一側面
４２，４３  切り欠き部
４４  基部
４５  第二側面
５０  本体
５０ａ  段差面
５１  係合部
５１ａ，５１ｂ：長辺部、  ５１ｃ、５１ｄ：側面
５２  係合突起
５３  被係止部
６０  本体
６０ａ  突出部
６１  第一係合部
６１ａ  基部
６２  第二係合部
６３，６５：第一アーム、  ６４，６６：第二アーム
６３ａ，６４ａ  係止突起
６５ａ，６６ａ  係合凹部
７０  外壁部
７０ａ，７０ｂ  貫通孔
７１：第一側壁、  ７２：第二側壁、  ７３：第三側壁、  ７４：第四側壁
７５  中間壁部
７５ａ  筒状部
７６  第一保持部
７６ａ：第一係止面、  ７６ｂ：第二係止面  ７６ｃ：挿入部
７７  第二保持部
８１：第一柱状部、  ８２：第二柱状部、  ８３：第三柱状部、  ８４：第四柱状部
Ｘ：第一方向、  Ｙ：第二方向、  Ｚ：第三方向、  Ｚ１：抜け方向、  Ｚ２：挿入方向
Ｗ  電線
【図１】
2020129461.tif 000003
【図２】
2020129461.tif 000004
【図３】
2020129461.tif 000005
【図４】
2020129461.tif 000006
【図５】
2020129461.tif 000007
【図６】
2020129461.tif 000008
【図７】
2020129461.tif 000009
【図８】
2020129461.tif 000010
【図９】
2020129461.tif 000011
【図１０】
2020129461.tif 000012